(57)【要約】      （修正有）【課題】肌着の接続部に用いられ、使用時の快適さを向上させる係止構造を提供する。【解決手段】ストラップレス４を備え、ストラップレス４の上方に接着布地３が取り付けられ、接着布地３の上方に金属調整バックルが取り付けられ、金属調整バックルの上方に縫製ストラップ接続バンド２が取り付けられ、縫製ストラップ接続バンド２の上方にストラップ１が取り付けられ、接着布地３の先端面に点状接着剤が設置され、接着布地３の内部にバインダーが設置され、バインダーの上方に布地調整孔が設置され、縫製ストラップ接続バンド２の底部にストラップ孔が設置され、金属調整バックルの先端面に２つのバックル孔が設置され、バックル孔の外側に回転ブロックが取り付けられ、バックル孔の一側にバネ収納部が設置され、バネ収納部の内部に回転軸が取り付けられ、回転軸の両端が金属調整バックルを貫通して金属調整バックルの外側に延びている。【選択図】図１
0003218664.tif 000002
【実用新案登録請求の範囲】
【請求項１】
ストラップレス（４）を備える着用感に優れる係止構造であって、
前記ストラップレス（４）の上方に接着布地（３）が取り付けられ、前記接着布地（３）の上方に金属調整バックル（５）が取り付けられ、前記金属調整バックル（５）の上方に縫製ストラップ接続バンド（２）が取り付けられ、前記縫製ストラップ接続バンド（２）の上方にストラップ（１）が取り付けられ、前記接着布地（３）の先端面に点状接着剤（６）が設置され、前記接着布地（３）の内部にバインダー（８）が設置され、前記バインダー（８）の上方に布地調整孔（９）が設置され、前記縫製ストラップ接続バンド（２）の底部にストラップ孔（７）が設置されることを特徴とする着用感に優れる係止構造。
【請求項２】
前記金属調整バックル（５）の先端面に２つのバックル孔（１０）が設置され、前記バックル孔（１０）の外側に回転ブロック（１２）が取り付けられ、前記バックル孔（１０）の一側にバネ収納部（１６）が設置され、前記バネ収納部（１６）の内部に回転軸（１１）が取り付けられ、前記回転軸（１１）の両端が金属調整バックル（５）を貫通して金属調整バックル（５）の外側に延び、前記回転軸（１１）の外側にねじりバネ（１７）が取り付けられ、前記ねじりバネ（１７）の一端が金属調整バックル（５）を貫通して回転ブロック（１２）の内部に延び、前記回転ブロック（１２）の内側にゴムパッド（１３）が取り付けられ、前記ゴムパッド（１３）の外表面に滑り止め突起（１４）が取り付けられ、前記回転ブロック（１２）の一端に制限孔（１９）が設置され、前記バックル孔（１０）の他端にフック（１５）が取り付けられ、前記フック（１５）の一端に位置決めブロック（１８）が取り付けられることを特徴とする請求項１に記載の着用感に優れる係止構造。
【請求項３】
前記布地調整孔（９）と金属調整バックル（５）は回転ブロック（１２）により接続され、前記ストラップ孔（７）と金属調整バックル（５）は回転ブロック（１２）により接続されることを特徴とする請求項１に記載の着用感に優れる係止構造。
【請求項４】
前記フック（１５）の一端は金属調整バックル（５）に密着し、前記フック（１５）と金属調整バックル（５）は溶接で固定されていることを特徴とする請求項２に記載の着用感に優れる係止構造。
【請求項５】
前記回転ブロック（１２）の外表面に係止溝が設置され、前記ゴムパッド（１３）と回転ブロック（１２）は係止溝により接続されることを特徴とする請求項２に記載の着用感に優れる係止構造。
【請求項６】
前記ねじりバネ（１７）の軸線と回転軸（１１）の軸線は共線であり、前記ねじりバネ（１７）と回転軸（１１）は溶接で固定されていることを特徴とする請求項２に記載の着用感に優れる係止構造。
【考案の詳細な説明】
【技術分野】
【０００１】
本考案は下着の技術分野、具体的に、着用感に優れる係止構造に関する。
【背景技術】
【０００２】
社会経済の急速な発展に伴い、人々の生活の質もますます高くなり、従来から、下着へのニーズが多く、下着とは、ベスト、アンダーシャツ、パンツ、ストラップレス、ブラジャーなどの肌に直接着ける衣物のことであり、通常、直接皮膚に接触するものであり、現代人にとって不可欠なものと言え、下着は、汗取り、造形、身体の支持、保温や身体からの汚れによる危害からの保護作用を有し、性別の特徴と見なされることがあり、古代中国でも、１０本／センチの密度を有する麻織物が開発されているが、このときの下着は外衣と略同じであり、体を遮断したり保温したりするためのものに過ぎない。４０００年前、麻織物は２４本／センチになり、累祖によるシルク製織技術の普及に伴い、機能上、下着はますます外衣と区別されてきて、ストラップレスや腹巻き等と呼ばれている。『簪花仕女図』に画いている胸元を大きく開けたネックラインを有する薄紗製刺繍シャツから、唐代女子の「下着」について知見を持つようになり、『西廂記』に記載の宋代の女性が、ストラップレスで腹部を巻いて、スラトップをネックにかけて、また一枚の布地で胸部をカバーし、美しくてお洒落である。しかしながら、中国はあくまでも保守的な民族であり、清朝の後半に西洋製紗や西洋製布が中国に輸入されるときから、西方のブラジャーは本格的に中国の女性に着用され始めた。
【０００３】
ところが、従来の下着完成品は、通常、繋ぎ部が突出するため、肌着として着用する場合、不快さを引き起こしやすい。さらに、従来の布地ではフックを取り付けるのに時間も労力もかかり、コストを増大するため、現在のニーズに応えず、このような事情に対して、着用感に優れる係止構造が提案されている。
【考案の概要】
【考案が解決しようとする課題】
【０００４】
本考案の目的は、着用感に優れる係止構造を提供し、上記背景技術に記載されている、下着完成品は、通常、繋ぎ部位が突出するため、肌着として着用する場合、不快さを引き起こしやすく、さらに、従来の布地ではフックを取り付けるのに時間も労力もかかり、コストを増大するという深刻な問題を解決することである。
【課題を解決するための手段】
【０００５】
上記目的を達成させるために、本考案は下記技術案を提供する。着用感に優れる係止構造であって、ストラップレスを備え、前記ストラップレスの上方に接着布地が取り付けられ、前記接着布地の上方に金属調整バックルが取り付けられ、前記金属調整バックルの上方に縫製ストラップ接続バンドが取り付けられ、前記縫製ストラップ接続バンドの上方にストラップが取り付けられ、前記接着布地の先端面に点状接着剤が設置され、前記接着布地の内部にバインダーが設置され、前記バインダーの上方に布地調整孔が設置され、前記縫製ストラップ接続バンドの底部にストラップ孔が設置される。
【０００６】
好ましくは、前記金属調整バックルの先端面に２つのバックル孔が設置され、前記バックル孔の外側に回転ブロックが取り付けられ、前記バックル孔の一側にバネ収納部が設置され、前記バネ収納部の内部に回転軸が取り付けられ、前記回転軸の両端が金属調整バックルを貫通して金属調整バックルの外側に延び、前記回転軸の外側にねじりバネが取り付けられ、前記ねじりバネの一端が金属調整バックルを貫通して回転ブロックの内部に延び、前記回転ブロックの内側にゴムパッドが取り付けられ、前記ゴムパッドの外表面に滑り止め突起が取り付けられ、前記回転ブロックの一端に制限孔が設置され、前記バックル孔の他端にフックが取り付けられ、前記フックの一端に位置決めブロックが取り付けられる。
【０００７】
好ましくは、前記布地調整孔と金属調整バックルは回転ブロックにより接続され、前記ストラップ孔と金属調整バックルは回転ブロックにより接続される。
【０００８】
好ましくは、前記フックの一端は金属調整バックルに密着し、前記フックと金属調整バックルは溶接で固定されている。
【０００９】
好ましくは、前記回転ブロックの外表面に係止溝が設置され、前記ゴムパッドと回転ブロックは係止溝により接続される。
【００１０】
好ましくは、前記ねじりバネの軸線と回転軸の軸線は共線であり、前記ねじりバネと回転軸は溶接で固定されている。
【考案の効果】
【００１１】
従来技術に比べて、本考案の有益な効果は以下のとおりである。
１、本考案では、接着布地を事前に図面に従って裁断して、繋ぎが必要である箇所に所定長さの布地を予め残して、且つ折って幅を狭くし、折った後、繋ぎ部位以外の部分について植物性バインダーで接着し、このように、いかなるミシン糸も使用せずに、引き上げ効果を確保する。
２、本考案では、接着布地の外表面に点状接着剤を滴下することで、点状接着剤を接着布地に浸透させて接着を補助するとともに、乾燥後に所定の滑り止め作用を果たす。
３、本考案では、バネ収納部の内部にねじりバネが取り付けられることで、ねじりバネと回転ブロックの有効な接続により、回転ブロックは開いた後に自動的に回復でき、ねじりバネが内部に取り付けられるため、金属調整バックル全体として凹凸感がなく、使い心地を改善する。
４、本考案では、回転ブロックの外表面にゴムパッドと滑り止め突起を取り付けることで、その内部に取り付けられた接着布地と縫製ストラップ接続バンドについて効果的に滑り止めを果たす。
【図面の簡単な説明】
【００１２】
【図１】本考案の一体構造の模式図である。
【図２】本考案の着用感に優れる係止構造の構造模式図である。
【図３】本考案の着用感に優れる係止構造の斜視図である。
【図４】本考案の着用感に優れる係止構造の側面図である。
【図５】本考案の金属調整バックルの構造模式図である。
【図６】本考案の金属調整バックルの内部構造の模式図である。
【考案を実施するための形態】
【００１３】
以下、本考案の実施例における図面を参照しながら、本考案の実施例における技術案を明瞭且つ完全に説明するが、勿論、説明する実施例は本考案の実施例の一部に過ぎず、すべての実施例ではない。
【００１４】
図１−６に示されるように、本考案による実施例において、着用感に優れる係止構造は、ストラップレス４を備え、ストラップレス４の上方に接着布地３が取り付けられ、接着布地３を事前に図面に従って裁断して、繋ぎが必要である箇所に所定長さの布地を予め残して、且つ折って幅を狭くし、折った後、予め残された布地調整孔９以外の部分について植物性バインダーを滴下して接着し、このように、いかなるミシン糸を使用せずに、引き上げ効果を確保し、接着布地３の上方に金属調整バックル５が取り付けられ、金属調整バックル５の上方に縫製ストラップ接続バンド２が取り付けられ、縫製ストラップ接続バンド２の上方にストラップ１が取り付けられ、接着布地３の先端面に点状接着剤６が設置され、接着布地３の内部にバインダー８が設置され、バインダー８の上方に布地調整孔９が設置され、縫製ストラップ接続バンド２の底部にストラップ孔７が設置される。
【００１５】
さらに、金属調整バックル５の先端面に２つのバックル孔１０が設置され、バックル孔１０の外側に回転ブロック１２が取り付けられ、バックル孔１０の一側にバネ収納部１６が設置され、バネ収納部１６の内部に回転軸１１が取り付けられ、回転軸１１の両端は金属調整バックル５を貫通して金属調整バックル５の外側に延び、回転軸１１の外側にねじりバネ１７が取り付けられ、ねじりバネ１７の一端は金属調整バックル５を貫通して回転ブロック１２の内部に延び、回転ブロック１２の内側にゴムパッド１３が取り付けられ、ゴムパッド１３の外表面に滑り止め突起１４が取り付けられ、回転ブロック１２の一端に制限孔１９が設置され、バックル孔１０の他端にフック１５が取り付けられ、フック１５の一端に位置決めブロック１８が取り付けられ、金属調整バックル５により縫製ストラップ接続バンド２と接着布地３が接続されている。
【００１６】
さらに、布地調整孔９と金属調整バックル５は回転ブロック１２により接続され、ストラップ孔７と金属調整バックル５は回転ブロック１２により接続され、回転ブロック１２を閉じることにより縫製ストラップ接続バンド２と接着布地３は効果的に制限される。
【００１７】
さらに、フック１５の一端は金属調整バックル５に密着し、フック１５と金属調整バックル５は溶接で固定されており、フック１５により回転ブロック１２は閉じられる。
【００１８】
さらに、回転ブロック１２の外表面に係止溝が設置され、ゴムパッド１３と回転ブロック１２は係止溝により接続され、ゴムパッド１３により金属調整バックル５の滑り止め性は大幅に向上する。
【００１９】
さらに、ねじりバネ１７の軸線と回転軸１１の軸線は共線であり、ねじりバネ１７と回転軸１１は溶接で固定されており、ねじりバネ１７により回転ブロック１２は回復する。
【００２０】
稼動原理
使用するとき、縫製ストラップ接続バンド２をストラップ１の表面に縫い付けて、接着布地３を事前に図面に従って裁断して、繋ぎが必要である箇所に所定長さの布地を予め残し、且つ折って幅を狭くして、折った後、予め残された布地調整孔９以外の部分について植物性バインダーを滴下して接着し、このように、いかなるミシン糸を使用せずに、引き上げ効果を確保し、接着布地３の点状接着剤をストラップレス４の表面に接続して、金属調整バックル５を縫製ストラップ接続バンド２と接着布地３の間に配置し、回転ブロック１２を内側へ押して、バネ収納部１６の内部にねじりバネ１７を取り付け、ねじりバネ１７で回転ブロック１２と効果的に接続し、このように、回転ブロック１２が開いた後に自動的に回復するようにし、ねじりバネ１７が内部に取り付けられているため、金属調整バックル５全体として凹凸感がなく、全体的に平坦で使い心地が良好であり、且つ、回転ブロック１２の外表面にゴムパッド１３と滑り止め突起１４が取り付けられているため、その内部に取り付けられた接着布地３と縫製ストラップ接続バンド２について効果的に滑り止めを果たし、縫製ストラップ接続バンド２と接着布地３を確実に接続し、このような構造は、点状接着剤によりほかの任意の衣服に接着してもよく、適合性に優れる。
【００２１】
当業者にとって明らかなように、本考案は、上記例示的な実施例の詳細に制限されず、且つ本考案の精神又は基本的な特徴を逸脱することなく、ほかの具体的な形態で本考案を実現できる。従って、どのような視点からも、実施例は例示的なものに過ぎず、制限するものではなく、本考案の範囲は、上記説明ではなく、添付した特許請求の範囲により限定されるため、特許請求の範囲に含まれる均等物の意味と範囲に属するすべての変化が本考案に含まれることを図る。特許請求の範囲に記載のいずれかの図面の符号を係る請求項の制限と見なすことができない。
【符号の説明】
【００２２】
図中：１、ストラップ；２、縫製ストラップ接続バンド；３、接着布地；４、ストラップレス；５、金属調整バックル；６、点状接着剤；７、ストラップ孔；８、バインダー；９、布地調整孔；１０、バックル孔；１１、回転軸；１２、回転ブロック；１３、ゴムパッド；１４、滑り止め突起；１５、フック；１６、バネ収納部；１７、ねじりバネ；１８、位置決めブロック；１９、制限孔。
【図１】
0003218664.tif 000003
【図２】
0003218664.tif 000004
【図３】
0003218664.tif 000005
【図４】
0003218664.tif 000006
【図５】
0003218664.tif 000007
【図６】
0003218664.tif 000008